(57)【要約】【課題】  ゴミの捕捉性を向上し、かつ粘着ロールの粘着持続性を向上すること。【解決手段】  回動自在な掻き上げ体１６と、掻き上げ体１６の掻き上げ方向に配置したゴミ捕捉部２３と、ゴミ捕捉部２３の上方に掻き上げ体１６と近接して配置され、掻き上げ体１６と反対向きに回転するように構成した粘着ロール２１を備える清掃具１０であって、掻き上げ体１６の近傍からゴミ捕捉部２３の上方へ延在する面を備えるゴミ誘導部２５を、ゴミ捕捉部２３と粘着ロール２１との間に配置したもの。【選択図】  図１
2005254019.tif 000002
【特許請求の範囲】
【請求項１】
回動自在な掻き上げ体と、掻き上げ体の掻き上げ方向に配置したゴミ捕捉部と、ゴミ捕捉部の上方に掻き上げ体と近接して配置され、掻き上げ体と反対向きに回転するように構成した粘着ロールを備える清掃具であって、
掻き上げ体の近傍からゴミ捕捉部の上方へ延在する面を備えるゴミ誘導部を、ゴミ捕捉部と粘着ロールとの間に配置した清掃具。
【請求項２】
前記掻き上げ体とゴミ捕捉部との間にすくい面部を備え、すくい面部は、床面に接して床面からゴミ捕捉部へとゴミをガイドする面を備える請求項１に記載の清掃具。
【請求項３】
前記ゴミ誘導部が、掻き上げ体によって掻き上げられるゴミを分別し、ゴミ誘導部によりガイドされたゴミをゴミ捕捉部に捕捉し、掻き上げ体とともにゴミ誘導部を通過したゴミを粘着ロールで捕捉する請求項１に記載の清掃具。
【請求項４】
前記ゴミ捕捉部をフレームから取外し可能にした請求項１〜３のいずれかに記載の清掃具。
【請求項５】
前記粘着ロールは、床面に対する清掃具の移動に連動して回転する回転体によって回転させられる請求項１〜４のいずれかに記載の清掃具。
【発明の詳細な説明】
【技術分野】
【０００１】
本発明は清掃具に関する。
【背景技術】
【０００２】
清掃具として、静電気発生ローラと粘着ロールを接触回転させ、静電気発生ローラに付着したゴミを粘着ロールに粘着させて集塵するに際し、粘着ロールを静電気発生ローラの側にばねで引っ張って両者を弾性接触させたもの（特許文献１）がある。
【特許文献１】実開昭63-163767
【発明の開示】
【発明が解決しようとする課題】
【０００３】
(1)静電気発生ローラがカーペットを表面から押さえて転動するから、カーペットの繊維の深い部分に沈んでいるゴミを捕捉することができず清掃性能の向上に困難がある。
【０００４】
(2)静電気発生ローラに付着したゴミの全てを粘着ロールに粘着させて集塵しようとするものである。従って、集塵しようとするゴミの全てが次々と粘着ロールに粘着してその表面を短期間で覆いつくすものになり、粘着ロールの粘着持続性を長期化することに困難がある。
【０００５】
本発明の課題は、ゴミの捕捉性を向上し、かつ粘着ロールの粘着持続性を向上することにある。
【課題を解決するための手段】
【０００６】
請求項１に記載の本発明は、回動自在な掻き上げ体と、掻き上げ体の掻き上げ方向に配置したゴミ捕捉部と、ゴミ捕捉部の上方に掻き上げ体と近接して配置され、掻き上げ体と反対向きに回転するように構成した粘着ロールを備える清掃具であって、掻き上げ体の近傍からゴミ捕捉部の上方へ延在する面を備えるゴミ誘導部を、ゴミ捕捉部と粘着ロールとの間に配置したものである。
【発明を実施するための最良の形態】
【０００７】
清掃具１０は、図１に示す如く、柄１１の先端部に継手部１２を介して支持アーム１３を左右方向に揺動自在に結合し、支持アーム１３の両側アーム部１３Ａに支軸部１４（不図示）を介してフレーム１５を前後方向に揺動自在に支持している。
【０００８】
フレーム１５の前部にはブラシからなる掻き上げ体１６が回転軸１７を介して回動自在に支持され、フレーム１５の後部にはロール体からなる接触回転体１８が回転軸１９を介して回動自在に支持され、掻き上げ体１６と接触回転体１８は平行に並べられて配置される。掻き上げ体１６は、掻き上げ部１６Ａ（ブラシ部）とタイヤ部１６Ｂからなり、掻き上げ部１６Ａの掻き上げ径（ブラシ径）をタイヤ部１６Ｂのタイヤ径より大きくしている。接触回転体１８は、表面を弾性体により形成され、例えばシリコンロールにて構成される。尚、接触回転体１８には、その表面に凹凸部を設けても良い。凹凸部とは、接触回転体のロール表面にリブや凸部、凹部、しぼ面等を設けたことをいう。
【０００９】
掻き上げ体１６と接触回転体１８の上には、それらに跨がる粘着ロール２１が回転軸２２を介してそれらに並んで回転自在に支持され、粘着ロール２１は掻き上げ体１６と接触回転体１８の回転に連れ回る。フレーム１５の上部は粘着ロール２１の出し入れ口とされ、取外し可能な透明カバー１５Ａにより被覆される。粘着ロール２１は、粘着シートの巻取りロールの構成、又は表面が粘着性のエラストマーからなり、その表面を洗浄して再使用可能とする構成等を含む。本実施例の粘着ロール２１は、粘着シート２１Ａをコア２１Ｂに巻き回し、粘着シート２１Ａの粘着面を外側に向けて巻出し可能かつ切断可能にした巻取りロールにて構成される。尚、粘着シート２１における基材上の粘着剤塗布量は、25〜50ｇ／ｍ２が好ましく、より好ましくは、25〜35ｇ／ｍ２である。
【００１０】
ここで、粘着ロール２１の回転軸２２は、粘着ロール２１が接触回転体１８に接触し、かつ掻き上げ体１６の外径（掻き上げ部１６Ａの掻き上げ径）との距離関係（距離０又は小間隔Ａ）を一定に保つように、両端の軸受スライダ２２Ａを介してフレーム１５の両側部に設けた矩形孔状の支持ガイド２２Ｂに可動支持される。即ち、掻き上げ体１６と粘着ロール２１との間は、非接触であっても良く、掻き上げ体１６のブラシ先端部と粘着ロール２１の最外周面との距離は、塵埃の吸着し易さから約2〜3mmが好ましい。
【００１１】
また、フレーム１５の両側部に設けた支持ガイド２２Ｂの内部には、軸受スライダ２２Ａを下向きに付勢する手段としてのばね２２Ｃが内蔵され、粘着ロール２１を接触回転体１８に圧接する。
【００１２】
フレーム１５における掻き上げ体１６の後部には塵取部２３が支持されている。塵取部２３は、床面に接する底面部２３Ａと、掻き上げ体１６に隙間なく（又は隙間を介して）相対する曲面状（又は平面状）のすくい面部２３Ｂと、すくい面部２３Ｂの上端につながる該すくい面２３Ｂの裏側に形成されたゴミ捕捉凹部２３Ｃを有し、両側の平板状支軸部２３Ｄをフレーム１５の両側の鉛直方向に対して後屈する斜め直線状（曲線状でも可）の矩形孔２４に上下方向に沿って平行移動可能に支持されている。塵取部２３は、支軸部２３Ｄを矩形孔２４に対し上下動し、自重により底面部２３Ａとすくい面部２３Ｂの最下端部を床面に隙間なく接し、掻き上げ体１６の掻き上げ部１６Ａが掻き上げるゴミを床面に沿う後方に逃がすことなく、そのゴミをすくい面部２３Ｂによりゴミ捕捉凹部２３Ｃの側にガイドする。
【００１３】
塵取部２３は、支軸部２３Ｄをフレーム１５の矩形孔２４に着脱自在にし、フレーム１５から図２に示す如くに取外し可能とされる。
【００１４】
フレーム１５における塵取部２３と粘着ロール２１の間にはゴミ誘導部２５が固定配置されている。ゴミ誘導部２５は、掻き上げ体１６の掻き上げ部１６Ａによって掻き上げられ、塵取部２３のすくい面部２３Ｂによりガイドされてくるゴミが掻き上げられるのを粘着ロール２１に対して遮弊する範囲に設けられ、そのゴミをゴミ誘導部２５で受止めて下方の塵取部２３のゴミ捕捉凹部２３Ｃに落下せしめる。ゴミ誘導部２５の前端部は掻き上げ体１６に近接し、ゴミ誘導部２５の後端部はゴミ捕捉凹部２３Ｃの内部にほぼ臨む。ゴミ誘導部２５は図示する如く、ゴミ捕捉凹部２３Ｃに対向する位置に下面を凹面として設けられる。
【００１５】
清掃具１０による清掃動作は以下の通りなされる。
(1)柄１１の軸方向に加える操作力により清掃具１０を前進させ、掻き上げ体１６のタイヤ部１６Ｂ及び接触回転体１８を回動させ、同時に粘着ロール２１を連れ回り回転させる。
【００１６】
(2)掻き上げ体１６の掻き上げ部１６Ａが床面上のゴミを掻き上げると、大きなゴミは塵取部２３のすくい面部２３Ｂにガイドされた後にゴミ誘導部２５に当たってゴミ捕捉凹部２３Ｃに落下捕捉され、掻き上げ部１６Ａにからみついた髪の毛等のゴミは粘着ロール２１の側に送り込まれ、粘着ロール２１の粘着面に吸着捕捉される。
【００１７】
(3)粘着ロール２１の粘着面に捕捉されたゴミは、粘着ロール２１の回動とともに接触回転体１８の側に移動し、接触回転体１８により粘着ロール２１の粘着面に押付けられて固定化される。
【００１８】
(4)透明カバー１５Ａから粘着ロール２１の粘着面の全周に多量のゴミが捕捉されたことが視認されたら、カバー１５Ａを開いて粘着ロール２１を取出し、粘着シート２１Ａの１周分を剥離切断除去し、新規粘着面を露出せしめた後、この粘着ロール２１を再び掻き上げ体１６と接触回転体１８の上に乗せ置き、カバー１５Ａを閉じる。塵取部２３のゴミ捕捉凹部２３Ｃに捕捉されたゴミも、塵取部２３をフレーム１５から取外して処分される。
【００１９】
尚、清掃具１０は前進だけでなく、後進もでき、後進時には、接触回転体１８に付着した床面上のゴミを粘着ロール２１により吸着捕捉できる。塵取部２３は、底面部２３Ａの尾端部をアール状に跳ね上げ、後進時にこの尾端部が床面に引掛かるのを防止する。
【００２０】
従って、本実施形態によれば、以下の作用がある。
(1)床面上のゴミは掻き上げ体１６により掻き上げられ、その後、塵取部２３に投入され、又は粘着ロール２１に捕捉される。床面がカーペットであっても、粘着ロール２１はカーペットに直接接触しないから、カーペットを傷めることがなく、カーペットの繊維の深い部分に沈んでいるゴミも捕捉できる。床面がフローリングであっても、カーペットと同様であり、粘着ロール２１がフローリングに直接接触しないから、粘着ロール２１がフローリングに強力に粘着して固定化してしまうことがない。
【００２１】
(2)掻き上げ体１６により掻き上げられた大きなゴミは、ゴミ誘導部２５にガイドされて塵取部２３に取り込まれる。これにより、集塵しようとするゴミの全てが粘着ロール２１に粘着してその表面を短期間で覆うことを回避し、粘着ロール２１の粘着持続性を向上できる。
【００２２】
(3)掻き上げ体１６にからみついた髪の毛等のゴミは、掻き上げ体１６とともにゴミ誘導部２５の前面を通過して粘着ロール２１にからめ取られ、掻き上げ体１６を汚れにくくしてきれいに保つことができる。
【００２３】
(4)塵取部２３はフレーム１５から取外し可能としたから、塵取部２３に捕捉したゴミを容易に処分できる。
【００２４】
（その他の作用）
(5)接触回転体１８は粘着ロール２１と接触して該粘着ロール２１を確実に連れ回り回転させる。従って、掻き上げ体１６に接する粘着ロール２１の粘着面を回転により常に新規にし、掻き上げ体１６が掻き上げたゴミを粘着ロール２１の新規吸着面により確実に吸着捕捉可能とする。このとき、粘着ロール２１を掻き上げ体１６と接触回転体１８の上に跨らせるから、大小数種類のどのような外径の粘着ロール２１も清掃具１０に装填できる。よって、粘着ロール２１の外径寸法に製造上の自由度が得られ、床状態に応じて、適切な外径の粘着ロール２１を選択できる。
【００２５】
(6)粘着ロール２１の回転軸２２がフレーム１５に可動支持され、かつ粘着ロール２１がその外径を減少していっても掻き上げ体１６の外径との距離関係を一定（距離０又は小間隔Ａ）に保つから、使用者が掻き上げ体１６や接触回転体１８に加える回転操作力を重くしないし、掻き上げ体１６が掻き上げたゴミを安定確実に粘着ロール２１に移行させてゴミの捕捉性を向上する。
【００２６】
即ち、粘着ロール２１が掻き上げ体１６の外径との距離関係をいくらでも近接する場合には、掻き上げ体１６の掻き上げ部１６Ａの植毛の先端に粘着した粘着ロール２１が両者の回転とともに掻き上げ体１６の側に徐々に引き寄せられ、植毛との粘着長さを徐々に増していってついには掻き上げ体１６と接触回転体１８の谷部に沈み込んで回転ロックに至る虞がある。
【００２７】
また、粘着ロール２１と掻き上げ体１６の外径との間隔が過大になると、掻き上げ体１６が掻き上げたゴミが安定確実に粘着ロール２１の側に到達し得ない。
【００２８】
粘着ロール２１と掻き上げ体１６の外径との好適な距離関係は、両者間に1〜10ｍｍの間隔、より好適には3ｍｍ程度の間隔をなすところにある。但し、掻き上げ体１６の植毛の材料が粘着ロール２１と粘着しにくい剥離性を帯びる等にあっては、両者間の間隔を０にすることもできる。
【００２９】
(7)粘着ロール２１がフレーム１５に可動支持され、ばね２２Ｃにより接触回転体１８に強く圧接されるから、粘着ロール２１の表面にゴミをしっかり付着できる。また、粘着ロール２１がばね２２Ｃによってバックアップ支持されるから、粘着ロール２１は接触回転体１８との接触点でゴミを挟んで通過しても飛び上がることがなく、飛び上がりの振動によるゴミの脱落もない。
【００３０】
(8)粘着ロール２１の表面に付着したごみは上述(7)の如くに粘着ロール２１の表面に強く圧接されるから、粘着ロール２１の表面の各所で塊状をなすことなく平らにプレスされる。従って、先に付着した塊状のゴミが粘着ロール２１の未使用表面の前方に大きく突出て新規ゴミの進入を拒む如くがなく、粘着ロール２１の全表面を有効利用可能とし、粘着ロール２１へのゴミ捕捉量を多くする。
【００３１】
(9)掻き上げ体１６がタイヤ部１６Ｂを備えるから、タイヤ部１６Ｂは清掃具１０の重量により床面に押付けられて回転し、掻き上げ体１６を確実に回転させる。掻き上げ径をタイヤ径より大きくしたから、掻き上げ部１６Ａは弾性たわみの復元に基づく掻き上げ力によりゴミを強力に掻き上げ、掻き上げ性能を向上するし、カーペットの繊維の深い部分のゴミも良く掻き出しできる。
【００３２】
(10)接触回転体１８は弾性体表面を備えることにより、粘着ロール２１に粘着捕捉されているゴミを該粘着ロール２１の粘着面に良く押付け固定化できる。
【００３３】
(11)粘着ロール２１の粘着力が強い場合、粘着ロール２１と接触回転体１８が連れ回り回転するため、回転しにくく、操作が重くなる。そこで、接触回転体１８の表面に凹凸部を設ける。凹凸部とは、接触回転体１８のロール表面にリブや凸部、凹部、しぼ面等を設けたことをいう。本実施例では、最低２ヵ所以上凹凸部を設けることにより、回転を軽くすることができる。即ち、接触回転体１８に凹凸部を設けることは、粘着ロール２１と接触回転体１８との間にすき間を形成することとなり、両者の接触面積を減らし、操作性を向上させることが可能となる。粘着ロール２１と接触回転体１８とが密着せずに接触回転体１８に付着したゴミが粘着ロール２１に転写するために、好ましい凹凸部の高さは、0.1〜0.5ｍｍ、より好ましくは0.2〜0.4ｍｍである。
【００３４】
本発明で使用される粘着ロールとして、コアロールに筒状シートを着脱可能に被せるものを使用しても良い。このとき、筒状シートの原形は、枚葉型の封筒状シートをなすものとし、多数の封筒状シートを互いに積層して保管することができる。
【００３５】
また、本発明において、掻き上げ体は、ブラシに限らず、スポンジ、ゴムブレード、エラストマー、弾性突起体等でも良い。
【００３６】
また、本発明において、接触回転体は、ロール体に限らず、タイヤ等でも良い。
また、本発明において、床面とは、畳、フローリング、カーペット等で、特にカーペットに対し顕著で特有な効果を奏する。
【図面の簡単な説明】
【００３７】
【図１】図１は清掃具の清掃状態を示す側断面図である。
【図２】図２は清掃具の塵取部を取外した状態を示す側断面図である。
【符号の説明】
【００３８】
１０  清掃具
１６  掻き上げ体
２１  粘着ロール
２３  塵取部（ゴミ捕捉部）
２５  ゴミ誘導部
【図１】
2005254019.tif 000003
【図２】
2005254019.tif 000004